(57)【要約】【課題】  この発明は、映像音声出力装置の出力音声の音量が小さいときに、冷却ファンによる騒音を小さくさせることができるようになるプラズマディスプレイパネルを備えた映像音声出力装置を提供することを目的とする。【解決手段】  プラズマディスプレイパネルを備えた映像音声出力装置において、装置本体内部の温度を冷却するための冷却ファン、装置本体内部の温度を検出するための温度検出器、出力音声の音量を調整するための音量ボリューム値を入力するための入力手段、ならびに入力手段によって入力された音量ボリューム値と、温度検出器の検出温度とに基づいて、冷却ファンの回転数を制御するための制御手段を備えている。【選択図】  図１
2005283645.tif 000002
【特許請求の範囲】
【請求項１】
装置本体内部の温度を冷却するための冷却ファン、
装置本体内部の温度を検出するための温度検出器、
出力音声の音量を調整するための音量ボリューム値を入力するための入力手段、ならびに
入力手段によって入力された音量ボリューム値と、温度検出器の検出温度とに基づいて、冷却ファンの回転数を制御するための制御手段、
を備えていることを特徴とするプラズマディスプレイパネルを備えた映像音声出力装置。                                                                                  
【請求項２】
制御手段は、温度検出器の検出温度が高くなるほど冷却ファンの回転数が高くなるようにかつ、入力手段によって入力された音量ボリューム値が低いほど冷却ファンの回転数が低くなるように、冷却ファンの回転数を制御するものであることを特徴とする請求項１に記載のプラズマディスプレイパネルを備えた映像音声出力装置。
【発明の詳細な説明】
【技術分野】
【０００１】
この発明は、プラズマディスプレイパネル（ＰＤＰ）を備えた映像音声出力装置に関する。
【背景技術】
【０００２】
ＰＤＰを備えたテレビジョン受像機等の映像音声出力装置では、ＰＤＰ等の発熱によって装置本体内部の温度が上昇しやすい。そこで、ＰＤＰを備えた映像音声出力装置には、装置本体内部の温度上昇を防止するために、冷却ファンが設けられている。冷却ファンの回転数を高くするほど、冷却効果は高くなるが、回転音、風切り音等の騒音が大きくなる。
【０００３】
従来は、映像音声出力装置の出力音声の音量にかかわらず、装置内部の温度に応じて、冷却ファンの回転数が制御されている。このため、ユーザにとっては、映像音声出力装置の出力音声の音量が小さいときには、冷却ファンによる騒音が、気になるという問題があった。
【発明の開示】
【発明が解決しようとする課題】
【０００４】
この発明は、映像音声出力装置の出力音声の音量が小さいときに、冷却ファンによる騒音を小さくさせることができるようになるプラズマディスプレイパネルを備えた映像音声出力装置を提供することを目的とする。
【課題を解決するための手段】
【０００５】
請求項１に記載の発明は、装置本体内部の温度を冷却するための冷却ファン、装置本体内部の温度を検出するための温度検出器、出力音声の音量を調整するための音量ボリューム値を入力するための入力手段、ならびに入力手段によって入力された音量ボリューム値と、温度検出器の検出温度とに基づいて、冷却ファンの回転数を制御するための制御手段を備えていることを特徴とする。
【０００６】
請求項２に記載の発明は、請求項１に記載の発明において、制御手段は、温度検出器の検出温度が高くなるほど冷却ファンの回転数が高くなるようにかつ、入力手段によって入力された音量ボリューム値が低いほど冷却ファンの回転数が低くなるように、冷却ファンの回転数を制御するものであることを特徴とする。
【発明の効果】
【０００７】
この発明によれば、映像音声出力装置の出力音声の音量が小さいときに、冷却ファンによる騒音を小さくさせることができるようになる。
【発明を実施するための最良の形態】
【０００８】
以下、図面を参照して、この発明をＰＤＰを備えたテレビジョン受像機に適用した場合の実施例について説明する。
【実施例１】
【０００９】
図１は、ＰＤＰを備えたテレビジョン受像機に設けられた冷却ファン制御回路の構成を示している。
【００１０】
冷却ファン１は、ファン駆動部２によって駆動される。ファン駆動部２は、テレビジョン受像機全体を制御するマイクロコンピュータ等の制御部１０によって制御される。スピーカ１１には、ゲインアンプ１２を介して音声信号が送られてくる。ゲインアンプ１２のゲインは、制御部１０によって制御される。制御部１０には、テレビジョン受像機の本体内に設けられた温度検出器３が接続されている。また、制御部１０には、音量調節部（リモコン等の入力手段）１３から音量ボリューム値が入力される。
【００１１】
制御部１０は、音量調節部１３からの音量ボリューム値に基づいて、ゲインアンプ１２のゲインを調整する。つまり、音量調節部１３からの音量ボリューム値が大きいほど、ゲインアンプ１２のゲインを大きくさせる。したがって、音量調節部１３からの音量ボリューム値が大きくなるほど、音量が大きくなる。
【００１２】
また、制御部１０は、音量調節部１３からの音量ボリューム値と温度検出器３の検出温度とに基づいて、ファン駆動部２を制御する。具体的には、制御部１０は、音量ボリューム値を複数の段階に分け、音量ボリューム値の各段階毎に温度とファン駆動電圧（ファンの回転数）との関係を記憶した制御テーブルを保持している。そして、制御部１０は、音量調節部１３からの音量ボリューム値と温度検出器３の検出温度と制御テーブルとに基づいて、冷却ファン１の駆動電圧を制御する。
【００１３】
図２は、制御テーブルの内容をグラフで表したものである。
【００１４】
この例では、音量ボリューム値が、０〜１６，１７〜３２，３３〜４８，４９〜６４の４段階に分けられている。そして、基本的には、音量ボリューム値の各段階とも、温度検出器３の検出温度が高いほど、冷却ファン１の回転数（駆動電圧）が高くなるように、制御テーブルが作成されている。また、音量ボリューム値の小さい段階ほど、冷却ファン１の回転数（駆動電圧）が低くなるように、制御テーブルが作成されている。
【００１５】
音量ボリューム値の各段階毎の、検出温度とファン回転数（駆動電圧）との関係は、次のようになる。
【００１６】
（１）第１段階（音量ボリューム値：０〜１６）
検出温度をＴ，冷却ファン１の回転数をＲで表すと、音量ボリューム値の第１段階では、ＴとＲとの関係は次の通りである。
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒａ
（ｃ）  ｉｆ  Ｔｂ≦Ｔ＜Ｔｃ，ｔｈｅｎ  Ｒ＝Ｒｂ
（ｄ）  ｉｆ  Ｔｃ≦Ｔ＜Ｔｄ，ｔｈｅｎ  Ｒ＝Ｒｃ
（ｅ）  ｉｆ  Ｔ≧Ｔｄ，      ｔｈｅｎ  Ｒ＝Ｒｄ
【００１７】
（２）第２段階（音量ボリューム値：１７〜３２）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｂ
（ｃ）  ｉｆ  Ｔｂ≦Ｔ＜Ｔｃ，ｔｈｅｎ  Ｒ＝Ｒｃ
（ｄ）  ｉｆ  Ｔｃ≦Ｔ＜Ｔｄ，ｔｈｅｎ  Ｒ＝Ｒｄ
（ｅ）  ｉｆ  Ｔ≧Ｔｄ，      ｔｈｅｎ  Ｒ＝Ｒｅ
【００１８】
（３）第３段階（音量ボリューム値：３３〜４８）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｃ
（ｃ）  ｉｆ  Ｔｂ≦Ｔ＜Ｔｃ，ｔｈｅｎ  Ｒ＝Ｒｄ
（ｄ）  ｉｆ  Ｔｃ≦Ｔ＜Ｔｄ，ｔｈｅｎ  Ｒ＝Ｒｅ
（ｅ）  ｉｆ  Ｔ≧Ｔｄ，      ｔｈｅｎ  Ｒ＝Ｒｆ
【００１９】
（４）第４段階（音量ボリューム値：４９〜６４）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｄ
（ｃ）  ｉｆ  Ｔｂ≦Ｔ＜Ｔｃ，ｔｈｅｎ  Ｒ＝Ｒｅ
（ｄ）  ｉｆ  Ｔｃ≦Ｔ＜Ｔｄ，ｔｈｅｎ  Ｒ＝Ｒｆ
（ｅ）  ｉｆ  Ｔ≧Ｔｄ，      ｔｈｅｎ  Ｒ＝Ｒｇ
【００２０】
例えば、検出温度がＴａ以上でＴｂ以下の場合には、音量ボリューム値が第１段階であればファン回転数はＲａ、音量ボリューム値が第２段階であればファン回転数はＲｂ、音量ボリューム値が第３段階であればファン回転数はＲｃ、音量ボリューム値が第４段階であればファン回転数はＲｄとなる。したがって、検出温度が同じであっても、音量ボリューム値が低いときには、ファン回転数が小さくなる。
【００２１】
なお、音量ボリューム値と検出温度とファン回転数（駆動電圧）との関係を、図３に示すように定めてもよい。図３では、音量ボリューム値の各段階毎の、検出温度とファン回転数（駆動電圧）との関係は、次のようになる。
【００２２】
（１）第１段階（音量ボリューム値：０〜１６）
検出温度をＴ，冷却ファン１の回転数をＲで表すと、音量ボリューム値の第１段階では、ＴとＲとの関係は次の通りである。
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒａ
（ｃ）  ｉｆ  Ｔｂ≦Ｔ＜Ｔｃ，ｔｈｅｎ  Ｒ＝Ｒｂ
（ｄ）  ｉｆ  Ｔｃ≦Ｔ＜Ｔｄ，ｔｈｅｎ  Ｒ＝Ｒｃ
（ｅ）  ｉｆ  Ｔ≧Ｔｄ，      ｔｈｅｎ  Ｒ＝Ｒｄ
【００２３】
（２）第２段階（音量ボリューム値：１７〜３２）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｂ
（ｃ）  ｉｆ  Ｔｂ≦Ｔ＜Ｔｃ，ｔｈｅｎ  Ｒ＝Ｒｃ
（ｄ）  ｉｆ  Ｔ≧Ｔｃ，      ｔｈｅｎ  Ｒ＝Ｒｄ
【００２４】
（３）第３段階（音量ボリューム値：３３〜４８）
（ａ）  ｉｆ  Ｔ＜Ｔａ，      ｔｈｅｎ  Ｒ＝０
（ｂ）  ｉｆ  Ｔａ≦Ｔ＜Ｔｂ，ｔｈｅｎ  Ｒ＝Ｒｃ
（ｃ）  ｉｆ  Ｔ≧Ｔｂ，      ｔｈｅｎ  Ｒ＝Ｒｄ
【００２５】
（４）第４段階（音量ボリューム値：４９〜６４）
（ａ）  ｉｆ  Ｔ＜Ｔａ，      ｔｈｅｎ  Ｒ＝０
（ｂ）  ｉｆ  Ｔ≧Ｔａ，      ｔｈｅｎ  Ｒ＝Ｒｄ
【００２６】
図３では、音量ボリューム値が大きい段階ほど、ファン回転数が最高設定速度に達する温度が低く設定されている。
【図面の簡単な説明】
【００２７】
【図１】ＰＤＰを備えたテレビジョン受像機に設けられた冷却ファン制御回路の構成を示すブロック図である。
【図２】音量ボリューム値の各段階毎の、検出温度とファン回転数（駆動電圧）との関係の一例を示すグラフである。
【図３】音量ボリューム値の各段階毎の、検出温度とファン回転数（駆動電圧）との関係の他の例を示すグラフである。
【符号の説明】
【００２８】
１  冷却ファン
２  ファン駆動部
３  温度検出器
１０  制御部
１１  スピーカ
１２  ゲインアンプ
１３  音量調節部
【図１】
2005283645.tif 000003
【図２】
2005283645.tif 000004
【図３】
2005283645.tif 000005